(57)【要約】本発明は、本体と、本体の外のほぼ放射状当接面を備えている突出した襟部を有するネックとを各々が備えている容器用の把持クランプに関する。このクランプは、第一顎部及び第二顎部（１１、１２）を有し、クランプが閉鎖した把持位置にある時、第一顎部は、襟部の当接面と協働するように配置されており、第二顎部は、本体から離れた側において当接面の近傍において延びているネックの領域と協働するように配置されている。
2005500222.tif 000002
【特許請求の範囲】
【請求項１】
本体と、前記本体の外のほぼ放射状当接面を備えた突出している襟部を有するネックとを各々が備えている容器用のクランプであって、第一顎部（１１）及び第二顎部（１２、２２、３３）を備えたクランプにおいて、
前記クランプが閉鎖した把持位置にある時、前記第一顎部は、前記襟部の前記当接面と協働するように配置されており、前記第二顎部は、前記本体から離れた側において前記当接面の近傍に延びている前記ネックの領域と協働するように配置されていることを特徴とするクランプ。
【請求項２】
前記第一顎部は、構造部材（１０）に留められた、襟部との接触部材（１１）を備え、前記第二顎部は、前記襟部を所定位置で前記接触部材（１１）に対して保持するように、前記ネックの前記領域に圧力を及ぼすように、前記構造部材に関して移動するように取り付けられている保持要素（１２、２２、３３）を備えていることを特徴とする請求項１に記載のクランプ。
【請求項３】
前記接触部材（１１）を形成しているほぼ水平な面を有する支持部材（６）を有することを特徴とする請求項２に記載の把持クランプ。
【請求項４】
前記支持部材（６）は、前記襟部に隣接した前記ネックの一部を受容するように、横において開放した切欠き部（７）を有することを特徴とする請求項３に記載の把持クランプ。
【請求項５】
前記保持要素（２２）は、前記接触部材（１１）の前記ほぼ水平な面にほぼ直角なヒンジピン（２９）回りに回動するように前記支持部材（６）に関して取り付けられており、前記保持要素（２２）は、前記ネックを前記切欠き部内に保持するように、前記襟部に対して横から当接するように、前記切欠き部（７）に隣接した端部（２３）を有することを特徴とする請求項４に記載の把持クランプ。
【請求項６】
前記保持要素（３３）は、前記接触部材（１１）の面とほぼ直角なヒンジピン（３４）回りで前記支持部材（６）に関して回動するように取り付けられており、前記保持要素（３３）は、前記ネックを前記切欠き部内に保持するように、前記襟部の上方の前記ネックに対して横から当接するように、前記支持部材から離間しておりかつ前記切欠き部（７）に隣接した端部（３５）を有することを特徴とする請求項４に記載の把持クランプ。
【請求項７】
前記保持要素（１２）は、前記襟部に食い込むように配置されている少なくとも一つの歯部（１５）を有することを特徴とする請求項２〜６のいずれか１項に記載の把持クランプ。
【請求項８】
前記本体から離れた側において前記当接面の近傍において延びている前記ネックの領域に対して前記保持要素を駆動するように、前記構造部材（１０）と前記保持要素の間において挿入されているばね（１７）を有することを特徴とする請求項２〜７のいずれか１項に記載の把持クランプ。
【発明の詳細な説明】
【技術分野】
【０００１】
本発明は、突出している襟部を備えたネックを各々が有する容器を把持するためのクランプに関する。この種の装置は、例えば、特に上記容器を充填するための装置において使用される種類のトランスポータースターなどの容器トランスポーターにおける使用に適している。
【背景技術】
【０００２】
スターは、切欠き部又はスロットが形成されている周縁部を有する回転式プラットフォームによって一般に構成されている。各切欠き部は、襟部が切欠き部の縁部に隣接したプラットフォームの上面の一部に当接するように、ネックの一部分を横から受容するように開放している。ネックが切欠き部から離れるのを防ぐために、ネックは、プラットフォーム周りで延びているレールによって、切欠き部内に保持されている。それにもかかわらず、容器がレールとプラットフォームの間で楔留めされるようになり、故障を引き起こす危険がある。次に、レールは、楔留めされた容器を取り外しうるように分解しなければならない。このような動作は、比較的に長く、装置を予め停止する必要がある。さらに、上記スターのさらなる欠点は、高い処理能力では、容器に作用する遠心力の量が、容器を傾斜させる傾向があり、容器が一方のスターから他方のスターへ移送される間、前述のような故障などの事故を引き起こす危険があるということである。
【０００３】
別のタイプのトランスポータースターでは、プラットフォームの回転軸線に平行に延びているヒンジピンによって互いに接続されておりかつ襟部の上方又は下方においてネックを介して容器を保持するように配置されている二つの顎部を各々が備えているクランプと回転式プラットフォームはその周縁で嵌合する。この解決手段は、前述の欠点を避けるが、複雑で比較的に高価である。
【発明の開示】
【発明が解決しようとする課題】
【０００４】
したがって、本発明の目的は、本体と、本体に面している面上においてほぼ放射状に延びている当接面を備えた突出している襟部を有するネックとを各々が備えている容器を簡単に比較的に安価に把持することができることである。
【課題を解決するための手段】
【０００５】
本発明によれば、この目的は、クランプが第一顎部及び第二顎部を備え、クランプが閉鎖した把持位置にある時、第一顎部は、襟部の当接面と協働するように配置されており、第二顎部は、本体と離れた側において当接面に隣接して延びているネックの領域と協働するように配置されている、上記容器を把持するためのクランプによって実現される。
【０００６】
したがって、容器は、襟部の当接面に作用する第一顎部と、この当接面の上方にあるネックの部分に作用する第二顎部とによって保持されている。クランプは、構造を簡単とすることができ、把持クランプがプラットフォーム上に取り付けられる時、プラットフォーム上で容器を保持するために外側レールを使用する必要がない。さらに、この構造では、容器を二つのプラットフォームの間で簡単に移送することができる。
【０００７】
好ましくは、第一顎部は、構造部材に留められた、襟部との接触部材を備え、第二顎部は、襟部を所定位置に接触部材に対して保持するように、ネックの前記領域へ圧力を及ぼすように、構造部材に関して移動するように取り付けられた保持要素を備えている。
【０００８】
有利的には、クランプは、接触部材を形成しているほぼ水平な面を有する支持部材を有し、支持部材は、好ましくは、襟部に隣接したネックの部分を受容するための、横に開放した切欠き部を有する。
【０００９】
次いで、接触部材は、襟部の当接面と協働するための比較的に大きな領域を備えており、切欠き部の縁部は、ネックを横方向に位置決めするのにも役立ちうる。
【００１０】
特定の実施例において、接触部材の水平面にほぼ直角であるヒンジピン回りで保持要素が回動するように、保持要素は支持部材に関して取り付けられており、保持要素は、ネックを切欠き部内で保持するように襟部に対して横から当接するための、切欠き部に隣接した一端部を有している。
【００１１】
保持要素は、ネックを切欠き部内に保持し、襟部の上方に延びている領域を占めることなく襟部の当接面を接触部材の面に対して保持するのに役立つ。把持クランプはねじ締めシャンクの動作と干渉するのを避けるように配置されうるので、この構造は、ねじ口にねじ込むためにプラットフォーム上で使用するのに特に有利である。さらに、襟部の寸法は、様々な容器寸法において共通であるので、襟部による保持は、クランプを修正することなく異なる寸法の容器を把持しうる利点がある。
【００１２】
有利的には、保持要素は、襟部に食い込むように配置されている少なくとも一つの歯部を有する。
【００１３】
したがって、保持要素は、襟部がしっかりと把持されることを保証する。
【００１４】
別の有利な特徴によれば、クランプは、ネックの一部分に対して横から当接するための部材を有し、この当接部材は、接触部材から離間している。
【００１５】
本発明の他の特徴及び利点は、本発明の特別な制限しない実施例の以下の記載において明らかとなる。
【００１６】
以下、添付図面を参照する。
【発明を実施するための最良の形態】
【００１７】
本発明の把持クランプは、本体３０と、突出した襟部３を有するネック２とを各々が備えている、参照番号１で全体的に示される容器を用いて使用するためのものである。襟部３は、本体３０に面して、（図３及び４において見える）ほぼ放射状の当接面３１を備えている。
【００１８】
図面を参照すると、本発明の三つの実施例を構成する把持クランプが、二つのプラットフォーム４、すなわち、それらを区別するための４．１と４．２で参照番号が付けられた上流プラットフォーム及び下流プラットフォームを備えた、充填装置に適用して本明細書において記載されている。これらプラットフォーム４は、互いに接しており、かつ図１、５及び７において参照番号１９．１及び１９．２でそれぞれが示される矢印によって示すように反対方向に回転させることによって、フレーム５に関して回転するように取り付けられている。
【００１９】
各プラットフォーム４は、外側に開放した切欠き部７をその周縁において有するディスク形状の水平板６を備えている。各切欠き部７は、ネック２の半径よりも大きく襟部３の半径よりも小さい半径を有する半円形状である。
【００２０】
水平板６は上面８を有する。把持クランプは、水平板６の周縁部に取り付けられている。各クランプは対応の切欠き部７の近傍に配置されている。
【００２１】
第一実施例では、図１〜４を参照すると、各把持クランプは、全体的に参照番号９で示され、水平板６の上面８に固定されている構造部材１０と、構造部材１０に留められている接触部材１１と、参照番号１２で全体的に示されておりかつ、構造部材１０に関して移動するように取り付けられている保持要素とを備えている。
【００２２】
この場合では、接触部材１１は、対応の切欠き部７に隣接した板６の上面８の部分によって形成されている。
【００２３】
保持要素１２は、接触部材１１の上方で延びている把持部１３を形成している一端部と、アクチュエータ部１４を形成している反対の端部とを有する顎部である。把持部１３は、接触部材１１に向けて突出している歯部１５を有する。この場合、歯部１５は、鋭い縁部を構成している。
【００２４】
保持要素１２は、把持部１３の上方に配置されておりかつ接触部材１１から離間した横スラスト部材１６をさらに有している。
【００２５】
保持要素１２は、歯部１５が襟部３の厚さよりも大きい距離だけ接触部材１１から離間している開位置（図４に示す）と、襟部３の厚さよりも小さい、接触部材１１からの距離に位置するように、歯部１５が接触部材１１により近くへ移動する閉位置（図３に示す）との間で保持要素１２が回動しうるように、保持要素１２の二つの端部の間に配置された水平ヒンジピン２０回りで、構造部材１０に留められている。ばね１７は、保持要素１２を閉位置へ駆動するように、構造部材１０と保持要素１２との間に介挿されている。
【００２６】
充填装置は、保持要素１２のアクチュエータ部１４によって追従される経路上において、プラットフォーム４の各々の上方で、固定位置でフレーム５上に取り付けられている各アクチュエータホイール１８をさらに有し、プラットフォームの回転中において、アクチュエータホイール１８により、各保持要素１２を、ばね１７によって及ぼされる力に抗して開位置へ回動させる。
【００２７】
下流プラットフォーム４．２のアクチュエータホイール１８は、以下に「接点」として呼ぶ、プラットフォーム４が互いに接する位置から上流に位置し、その一方で、上流プラットフォーム４．１のアクチュエータホイール１８は、前記した位置から下流に位置する。なお、「上流」、「下流」は、プラットフォームの各回転方向に関するものである。
【００２８】
上流プラットフォーム４．１から下流プラットフォーム４．２へ移送される容器１について以下に記載する。
【００２９】
容器１のネック２は、上流プラットフォーム４．１の切欠き部７内に受容され、襟部３の当接面３１は、保持要素１２によって接触部材１１に対して押圧される。保持要素１２は、ばね１７によって閉位置へ駆動される。襟部３は、接触部材１１と把持部１３の間でクランプされ、把持部１３の歯部１５は襟部３に押圧される。襟部３の上方に延びているネック２の部分は、横スラスト部材１６に当接している。これは、プラットフォーム４．１の回転によって容器１へ及ぼされる遠心力の作用に対向している。したがって、遠心力が容器に与える傾斜量は、制限されている。
【００３０】
プラットフォーム４の回転は、容器１を受容する上流プラットフォーム４．１が、二つのプラットフォーム４の間の接点において、下流プラットフォーム４．２の空の対応の切欠き部７と重なる位置になるように、同期させられている。
【００３１】
この回転中、下流プラットフォーム４．２上において、接点まで来る空の切欠き部７に隣接した把持クランプ９のアクチュエータ部１４は、アクチュエータホイール１８に接近する。このアクチュエータホイール１８は、上流プラットフォーム４．１によって担持されている容器１の襟部３が接触部材１１と保持要素１２の把持部１３の間に挿入されうるように、保持要素１２を開位置へもたらす。アクチュエータホイール１８がアクチュエータ部１４から離れる時、ばね１７は保持要素１２を閉位置に戻す。こうして、容器１は、下流プラットフォーム４．２の把持クランプ９に保持され、保持要素１２は、襟部３を接触部材１１に対して押し、歯部１５は襟部３に食い込む。
【００３２】
接点では、容器１のネック２は、面する両方の切欠き部７内に受容されており、容器１の襟部３は、面する二つの把持クランプ９によってクランプ留めされている。
【００３３】
接点から下流において、上流プラットフォーム４．１上において、把持クランプ９の保持要素１２のアクチュエータ部１４は、アクチュエータホイール１８と接触し、それにより、保持要素１２を開位置へもたらし、それにより、襟部３を解放する。
【００３４】
回転が続く時、容器１は、上流プラットフォーム４．１を離れ、下流プラットフォーム４．２のみによって支持されている。
【００３５】
これは、容器移動段階と関連した容器把持段階を備えた、襟部をクランプ留めすることによって把持される、容器運搬方法を提供する。襟部は、包装を直角に保つためと、包装を運搬装置の平面内に放射状に保持するために使用されている。この把持技術は特に簡単である。さらに、容器を上流プラットフォームから下流プラットフォームへ移送するために、襟部の二つの対向する地点で把持され、それにより、装置が簡単化される。
【００３６】
図５及び６に示す第二実施例において、参照番号２１で全体的に示される各把持クランプは、切欠き部７に隣接した水平板６の上面の一部分によって上記のように形成された接触部材１１と、開位置と閉位置の間で回動するように前記上面と直角に延びているヒンジピン２９によって、切欠き部７の近傍において（把持クランプの構造部材を形成している）水平板６の上面８に取り付けられている保持要素２２とを備えている。
【００３７】
保持要素２２は、把持部２３と、把持部と反対において、水平板６とほぼ直角に延びているアクチュエータ直立部２４とを持つ、プラットフォーム４を越えて突出している一部分を備えている。
【００３８】
把持部２３は、襟部３の半径と等しい半径を持つ円弧状凹状面２５を有する。
【００３９】
ばね２６が、保持要素２２を閉位置へ弾性的に駆動するように、把持部２３から離れた保持要素２２と、水平板６から突出している当接部材２７との間に取り付けられている。
【００４０】
二つの保持クランプ２１は、それぞれの回転方向に関して、上流プラットフォーム４．１の切欠き部７から下流と、下流プラットフォーム４．２の切欠き部７から上流とに取り付けられている。
【００４１】
充填装置は、保持要素２２のアクチュエータ直立部２４の経路上において、プラットフォーム４．２、４．１それぞれの上方のフレーム上に固定位置で取り付けられたアクチュエータホイール２８．２、２８．２をさらに備え、プラットフォームの回転中、これらアクチュエータホイールは、保持要素を、ばね２６によって及ぼされる力に抗して、開位置に向けて回動させる。
【００４２】
こうして、それぞれのプラットフォームの回転方向に関して、下流プラットフォーム４．２と係合するアクチュエータホイール２８．２は、二つのプラットフォーム間の接点から上流において、上流プラットフォーム４．１の上方に配置されており、その一方で、上流プラットフォーム４．１についてのアクチュエータホイール２８．１は、接点から下流において、下流プラットフォーム４．２の上方に配置されている。
【００４３】
以下に記載するように、容器１は、上流プラットフォーム４．１から下流プラットフォーム４．２へ移送される。
【００４４】
容器１のネック２は、上流プラットフォーム４．１の切欠き部７内に受容されており、襟部３の当接面３１は接触部材１１と当接している。ばね２６によって閉位置に向けて駆動されている保持要素２２は、把持部２３の円弧状凹状面２５を介して襟部３に作用し、襟部３を、切欠き部７の縁部の反対部分に向けて駆動する。こうして、横方向の圧力が襟部３にかけられ、ネック２を切欠き部７の縁部に対して押圧して保持するのに役立ち、したがって、襟部３の当接面３１を接触部材１１に対して所定位置に保持する。
【００４５】
プラットフォーム４の回転は、容器１を受容する上流プラットフォーム４．１の切欠き部７が、プラットフォーム４間の接点において、下流プラットフォーム４．２の空の対応の切欠き部７と重なる位置になるように同期させられる。
【００４６】
この回転中、接点まで来るようになる、空の切欠き部７に隣接した把持クランプ２１のアクチュエータ直立部２４は、アクチュエータホイール２８．２と接触する。次いで、アクチュエータホイール２８．２は、保持要素２２を開位置へ移動させる。この開位置では、把持部２３は、上流プラットフォーム４．１によって担持されている容器１の襟部３がその中に挿入されうるのに十分な距離で、切欠き部７の縁部から離間している。アクチュエータ直立部２４がアクチュエータホイール２８．２から離れる時、ばね２６は保持要素２２を閉位置に戻す。こうして、容器１は、閉位置の保持要素２２によって、下流プラットフォーム４．２の把持クランプ２１に保持されている。
【００４７】
容器１のネック２は、接点において、面している両方の切欠き部７内に受容されており、容器１の襟部３は、面している両方の把持クランプ２１によってクランプ留めされている。この保持要素２２は、一方では、襟部の下流部分に対して押圧され、他方では、襟部の上流部分に対して押圧されるので、これら保持要素２２は、互いと干渉することなく、取り付けられるプラットフォームに面して、プラットフォームの上方で延びうるということが認められる。
【００４８】
上流プラットフォーム４．１の把持クランプ２１の保持要素２２のアクチュエータ部２４は、接点から下流において、アクチュエータホイール２８．１と接触し、それにより、保持要素２２を開位置にもたらし、襟部３を解放する。
【００４９】
回転が続くと、容器１は、上流プラットフォーム４．１を離れ、下流プラットフォーム４．２のみによって支持されている。アクチュエータ直立部２４がアクチュエータホイール２８．１を離れる時、ばね２６は保持要素２２を閉位置に戻す。
【００５０】
第三実施例において、図７及び８を参照すると、全体的に参照番号３２で示されている各把持クランプは、切欠き部７に隣接した水平板６の上面８の一部分によって上記のように形成されている接触部材１１と、（クランプ３２がプラットフォーム４．２上にあることが図７において示されている）開位置と（クランプ３２がプラットフォーム４．１上にあることが図７において示されている）閉位置との間で回動するように、前記上面とほぼ直角に延びているヒンジピン３４上において、切欠き部７の近傍において、（把持クランプの構造部材を形成している）水平板６の上面８に回動可能に取り付けられている保持要素３３とを備えている。
【００５１】
保持要素３３は、プラットフォーム４を越えて突出している一部分を備えている。この部分は、把持部３５を持ち、かつ反対端部においてアクチュエータ部３６を持っている。
【００５２】
把持部３５は、襟部３の厚さよりも大きな高さｈで、接触部材１１に関して位置決めされており、把持部３５は、襟部３の直上方に延びているネック２の部分の半径と等しい半径の円弧状凹状面３７を持っている。
【００５３】
アクチュエータ部３６は、フィンガ３９を受容する長円形のスロット３８を有する。このフィンガ３９は、スロット３８の縁部に沿って摺動できる。フィンガ３９は、水平板６上において固定されている支持部材４１内で、ほぼ垂直な軸線回りで回動するように取り付けられているディスク４０に偏心して留められている。垂直フラップ４２は、それ自体が、フィンガ３９が取り付けられている面と反対の面上において、ディスク４０上に偏心して取り付けられている。
【００５４】
二つの把持クランプ３２は、回転方向１９．１、１９．２それぞれに関して、上流プラットフォーム４．１上で、対応の切欠き部７から上流に、及び下流プラットフォーム４．２上で、対応の切欠き部７から下流に取り付けられている。
【００５５】
充填装置は、プラットフォームの回転中に保持要素３３を開位置と閉位置の間で移動させるように、保持要素３３のフラップ４２の経路上で、プラットフォーム４．１、４．２の上方のフレームに固定位置で取り付けられているアクチュエータホイール４３をさらに備えている。各アクチュエータホイール４３は、ディスク４０を回動させるように、フラップ４２と接触するように取り付けられている。各ディスク４０の回動により、保持要素３３をヒンジピン３４回りで複数の位置の一方から他方へ回動させるのに適した円弧状経路に沿って、フィンガ３９を移動させる。
【００５６】
アクチュエータホイール４３．１、４３．２を図７において見ることができる。
【００５７】
こうして、アクチュエータホイール４３．１は、接点と同じレベルの時に、上流プラットフォーム４．１に留められた保持要素３３を閉位置から開位置へもたらすように、二つのプラットフォーム４の間の接点とほぼ同じレベルかつ上流プラットフォーム４．１の上方に位置決めされ、その一方で、アクチュエータホイール４３．２は、下流プラットフォーム４．２に留められた保持要素３３を開位置から閉位置へもたらすように、プラットフォームの各回転方向に関して、接点からわずかに下流かつ下流プラットフォーム４．２の上方に位置決めされている。
【００５８】
別のアクチュエータホイール４３（図示せず）は、上流プラットフォーム４．１に留められた保持要素３３を開位置から閉位置へもたらすように、上流プラットフォーム４．１の上方配置されており、別のアクチュエータホイール４３（図示せず）は、下流プラットフォーム４．２に留められた保持要素３３を閉位置から開位置へもたらすように、下流プラットフォーム４．２の上方に配置されている。
【００５９】
容器１は、以下に記載するように、上流プラットフォーム４．１から下流プラットフォーム４．２へ移送される。
【００６０】
容器１のネック２は、上流プラットフォーム４．１の切欠き部７内に受容されており、襟部３の当接面３１は、接触部材１１と当接する。閉位置にある保持要素３３は、把持部３５の円弧状凹状面３７を介して、襟部３の上方のネック２に力を及ぼし、この力は切欠き部７の縁部の反対部分に向けて作用する。こうして、横方向圧力がネック２にかかり、これは、ネック２を切欠き部７の縁部に対して押圧された状態で保持し、その結果、接触部材１１上で、所定位置で襟部３の当接面３１を保持するのに役立つ。
【００６１】
プラットフォーム４の回転は、容器１を保持する上流プラットフォーム４．１の切欠き部７が、プラットフォーム４の接点において、下流プラットフォーム４．２の空の対応の切欠き部７と重なるようになるように同期される。
【００６２】
容器１のネック２は、接点において、面する両方の切欠き部７内に受容されており、容器１の襟部３は、面する両方の把持クランプ３２によってクランプ留めされている。
【００６３】
回転中において、上流プラットフォーム４．１の把持クランプ３２の保持要素３３のフラップ４２は、アクチュエータホイール４３．１と接触し、それにより、保持要素３３を開位置へもたらし、ネック２を解放する。下流プラットフォーム４．２の対応の把持クランプ３２のフラップ４２は、アクチュエータホイール４３．２と接触し、それにより、保持要素３３を、閉位置へもたらす。閉位置では、把持部３５は、下流プラットフォーム４．１によって担持されている容器１のネック２を固定して保持するように、切欠き部７の縁部に向けて移動させられる。次いで、容器１は、閉位置における保持要素３３によって、下流プラットフォーム４．２の把持クランプ３２内で保持されている。
【００６４】
回転が続く時、容器１は、上流プラットフォーム４．１を離れ、次いで、下流プラットフォーム４．２のみによって支持される。
【００６５】
当然、本発明は記載した実施例に限定されず、特許請求の範囲に規定した発明の範囲を越えることなく様々な実施例を考案しうる。
【００６６】
特に、本発明は、記載した用途に限定されず、特に容器を運搬する任意の装置のために使用することができる。
【００６７】
本発明の把持装置は、前述の構造、特に第一実施例の構造を逆転することによっても得ることができる。歯部が襟部３に印をつける時、その印は、襟部３の下側の当接面上にあり、それゆえ、この印は見えないということを認識しうる。
【００６８】
把持クランプを作動する他の手段も認識しうる。例えば、この他の手段は、空気式、流体式、又はカムなどである。
【００６９】
さらに、切欠き部は、記載した形状以外の形状、特に、位置決めするＶ字溝部を形成するような三角形状としうる。又は、水平板の上面は接触部材を形成し、水平板の縁部は、いずれの切欠き部を有する必要がない。
【００７０】
第一実施例の把持クランプは、襟部の移動方向に関して襟部の上流部又は下流部に対してクランプ留めするように、プラットフォーム上で良好に等しく配置することができる。一般に、いずれの実施例においても、把持クランプは、プラットフォーム上で異なる方法で取り付けることができる。例えば、把持クランプは、片持ちにされうる。
【００７１】
この場合では、接触部材１１は、対応の切欠き部７に隣接している水平板６の上面８の部分によって形成されているが、接触部材１１を異なって構成することができる。特に、接触部材１１を水平板６に嵌め込むことができる。
【００７２】
把持部及び／又は接触部材を滑らかにすることができる、又は、それらは襟部をより良好に把持するように、鋸歯を備えうる。
【００７３】
いくつかの装置では、例えば第三実施例又は第一実施例を構成するクランプに適したプラットフォームと関連して、第二実施例を構成するクランプに適したプラットフォームを使用することができる。
【００７４】
前述の実施例では、クランプは、確実なアクチュエータ手段（ホイール１８とアクチュエータ部１４、ホイール２８と直立部２４、ホイール４３と偏心フィンガ３９）によって、開位置と閉位置の間で移動させられるが、クランプは、容器が力で複数の把持部の間に挿入される及び／又は取り出されるように、ばねによって閉鎖保持されうる。アクチュエータ手段は、さらに、異なる構造としうる。保持要素は、例えば、フレーム５に関して固定されたカム面上で移動するホイールと関連しうる。
【図面の簡単な説明】
【００７５】
【図１】本発明の第一実施例を構成する把持クランプを有する充填装置の部分略平面図である。
【図２】図１のクランプの一つの斜視図である。
【図３】図１の線ＩＩＩ−ＩＩＩ上の部分断面図であり、閉鎖した容器保持位置にある把持クランプを示している。
【図４】図３と同様な図であり、開放した容器解放位置にある把持クランプを示している。
【図５】部分略平面図であり、本発明の第二実施例を構成する把持クランプを備えた充填装置を示す。
【図６】図５のクランプの一つの斜視図である。
【図７】部分略平面図であり、本発明の第三実施例を構成する把持クランプを備えた充填装置を示す。
【図８】図７のクランプの一つの斜視図である。
【国際公開パンフレット】
2005500222.tif 000003
2005500222.tif 000004
2005500222.tif 000005
2005500222.tif 000006
2005500222.tif 000007
2005500222.tif 000008
2005500222.tif 000009
2005500222.tif 000010
2005500222.tif 000011
2005500222.tif 000012
2005500222.tif 000013
2005500222.tif 000014
2005500222.tif 000015
2005500222.tif 000016
2005500222.tif 000017
2005500222.tif 000018
2005500222.tif 000019
2005500222.tif 000020
2005500222.tif 000021
2005500222.tif 000022
2005500222.tif 000023
2005500222.tif 000024
2005500222.tif 000025
2005500222.tif 000026
【国際調査報告】
2005500222.tif 000027
2005500222.tif 000028
2005500222.tif 000029
2005500222.tif 000030